(57)【要約】【課題】ハードディスクドライブ等のデータ記録装置を確実にホルダから抜き出す。【解決手段】ハードディスクドライブ１０はカートリッジホルダ１２に着脱自在に構成される。カートリッジホルダ１２に検出ＳＷ２２を設け、ファスナ１８、２０を締結してハードディスクドライブ１０を装着した状態ではファスナ先端が検出ＳＷ２２に係合して検出ＳＷ２２をオン動作させる。ファスナ１８、２０を緩めると検出ＳＷ２２がオフ動作し、オペレーティングシステムのシャットダウンを開始する。ファスナ１８、２０を緩めるまでの時間を利用してシャットダウン処理を完了する。【選択図】図１
2008077806.tif 000002
【特許請求の範囲】
【請求項１】
データ記録装置を筐体に着脱自在に保持する着脱機構であって、
前記筐体側に、前記データ記録装置を前記筐体に締結するためのネジに係合する検出スイッチを設け、前記ネジを緩める操作に連動して前記検出スイッチがオン／オフ動作し、前記検出スイッチのオン／オフ動作により前記データ記録装置を駆動するオペレーティングシステムの停止処理を開始することを特徴とするデータ記録装置の着脱機構。
【請求項２】
請求項１記載の機構において、
前記ネジは複数設けられ、
前記検出スイッチは、複数の前記ネジ毎に設けられ、
前記ネジのいずれかを緩める操作に連動して前記検出スイッチのいずれかのオン／オフ動作により前記データ記録装置を駆動するオペレーティングシステムの停止処理を開始することを特徴とするデータ記録装置の着脱機構。
【請求項３】
データ記録装置を筐体に着脱自在に保持する着脱機構であって、
前記データ記録装置を前記筐体に固定するための固定手段と、
前記固定手段の近傍に設けられ、前記データ記録装置を前記筐体に装着した状態では前記固定手段と係合してオン状態またはオフ状態のいずれか一方の状態となり、前記データ記録装置を前記筐体から脱着すべく前記固定手段を解放させた状態では前記オン状態またはオフ状態のいずれか他方の状態に遷移する検出スイッチと、
前記検出スイッチの状態遷移をトリガとして前記データ記録装置を駆動するオペレーティングシステムの停止処理を開始するプロセッサと、
を有することを特徴とするデータ記録装置の着脱機構。
【発明の詳細な説明】
【技術分野】
【０００１】
本発明はデータ記録装置の着脱機構に関し、特にデータ記録装置の着脱に関する。
【背景技術】
【０００２】
従来より、カートリッジ式ハードディスクドライブに取り付けられたハンドルレバーにより筐体への着脱を行っているため、筐体側の電源がＯＮの時に誤ってハードディスクドライブを抜き出してしまうことがあり、これを防止するために種々の機構が提案されている。
【０００３】
例えば、下記の特許文献１では、図６に示すように、装置筐体７のハードディスク挿入口８付近にハードディスクドライブ４への電源供給をオンオフ制御するためのスイッチ１と、ハードディスク挿入口８に挿入されたハードディスクドライブ４を掛止するプレート２を配設する構成が開示されている。プレート２はハードディスク挿入口８近傍で回動自在に軸支され、ツマミ３の回動によりハードディスクドライブ４を掛止する方向あるいはハードディスクドライブ４の掛止を解除する方向に回動される。プレート２がツマミの回動によりハンドル５側に回動されるとハードディスクドライブ４を掛止するとともに、スイッチ１をハードディスクドライブ４への電源供給をオンするように動作させる。また、スイッチ１はプレート２がハンドル５の掛止を解除する位置にくると、プレート２の一端のカム形状によりその突出部の押し下げが解除され、ハードディスクドライブ４への電源供給をオフするように動作する。
【０００４】
【特許文献１】特開平９−２３１７３４号公報
【発明の開示】
【発明が解決しようとする課題】
【０００５】
ハードディスクドライブ等のデータ記録装置がＷｉｎｄｏｗｓ（登録商標）等のオペレーティングシステムにより動作制御される場合、データ記録装置を筐体から抜き出す場合には、まずオペレーティングシステムをシャットダウンする必要がある。しかしながら、オペレーティングシステムの高機能化に伴い、シャットダウン完了までに要する時間が漸次増加する傾向にあり、このためシャットダウンが完了するまでにユーザがデータ記録装置を抜き出してしまう事態が生じ得る。
【０００６】
本発明の目的は、確実にオペレーティングシステムのシャットダウンが完了した後にデータ記録装置を抜き出すことができる機構を提供することにある。
【課題を解決するための手段】
【０００７】
本発明は、データ記録装置を筐体に着脱自在に保持する着脱機構であって、前記筐体側に、前記データ記録装置を前記筐体に締結するためのネジに係合する検出スイッチを設け、前記ネジを緩める操作に連動して前記検出スイッチがオン／オフ動作し、前記検出スイッチのオン／オフ動作により前記データ記録装置を駆動するオペレーティングシステムの停止処理を開始することを特徴とする。
【０００８】
本発明において、前記ネジは複数設けられ、前記検出スイッチは、複数の前記ネジ毎に設けられ、前記ネジのいずれかを緩める操作に連動して前記検出スイッチのいずれかのオン／オフ動作により前記データ記録装置を駆動するオペレーティングシステムの停止処理を開始してもよい。
【０００９】
また、本発明は、データ記録装置を筐体に着脱自在に保持する着脱機構であって、前記データ記録装置を前記筐体に固定するための固定手段と、前記固定手段の近傍に設けられ、前記データ記録装置を前記筐体に装着した状態では前記固定手段と係合してオン状態またはオフ状態のいずれか一方の状態となり、前記データ記録装置を前記筐体から脱着すべく前記固定手段を解放させた状態では前記オン状態またはオフ状態のいずれか他方の状態に遷移する検出スイッチと、前記検出スイッチの状態遷移をトリガとして前記データ記録装置を駆動するオペレーティングシステムの停止処理を開始するプロセッサとを有することを特徴とする。
【発明の効果】
【００１０】
本発明によれば、データ記録装置を抜き出すまでにオペレーティングシステムの停止処理を完了することができる。
【発明を実施するための最良の形態】
【００１１】
以下、図面に基づき本発明の実施形態について、データ記録装置としてカートリッジ式ハードディスクドライブを例にとり説明する。
【００１２】
図１に、ハードディスクドライブ１０及び筐体としてのカートリッジホルダ１２を示す。図１は、ハードディスクドライブ１０をカートリッジホルダ１２に装着した状態である。ハードディスクドライブ１０の前面１４にはハンドルレバー１６が設けられ、ハードディスクドライブ１０をカートリッジホルダ１２に対して着脱する場合、ユーザはこのハンドルレバー１６を把持して着脱する。ハードディスクドライブ１０の前面１４には左右一対のファスナ１８、２０が設けられる。ファスナ１８、２０は雄ネジから構成され、ハードディスクドライブ１０をカートリッジホルダ１２に装着する場合、ハードディスクドライブ１０をカートリッジホルダ１２に挿入し、ファスナ１８、２０をそれぞれ締結して装着する。
【００１３】
一方、カートリッジホルダ１２には、ファスナ１８、２０の近傍に検出ＳＷ２２が設けられる。検出ＳＷ２２はハードディスクドライブ１０がカートリッジホルダ１２に装着されていることを検出するスイッチであり、ハードディスクドライブ１０を駆動するＷｉｎｄｏｗｓ（登録商標）等のオペレーティングシステムの動作を制御するスイッチでもある。すなわち、検出ＳＷ２２がオン動作している場合にはハードディスクドライブ１０がカートリッジホルダ１２に装着されているものとしてオペレーティングシステムを実行し、検出ＳＷ２２がオフ動作している場合にはハードディスクドライブ１０がカートリッジホルダ１２に装着されていないものとしてオペレーティングシステムは実行しない。また、検出ＳＷ２２がオン状態からオフ状態に遷移した場合、オペレーティングシステムを実行状態から非実行状態に遷移させるべく、オペレーティングシステムのシャットダウンを開始する。
【００１４】
図２に、ハードディスクドライブ１０をカートリッジホルダ１２に装着した状態における検出ＳＷ２２の状態を示す。検出ＳＷ２２は、一側面に弾性力で外側に向けて付勢されたスイッチ板２２ａを有し、ハードディスクドライブ１０の装着状態ではファスナ１８、２０の雄ネジ先端２０ａがスイッチ板２２ａに当接し、検出ＳＷ２２をオン動作させる。図３に、検出ＳＷ２２の動作状態を示す。通常状態では、図中破線で示すようにスイッチ板２２ａは外側に付勢されており、検出ＳＷ２２はオフ状態にある。この状態からファスナ１８、２０を締結すると、雄ネジ先端２０ａがスイッチ板２２ａに当接し、さらに押し込まれて内部接点をオン動作させる。検出ＳＷ２２はファスナ１８、２０の近傍であって、ファスナ１８、２０を締結した場合にオン動作し、ファスナ１８、２０を解放した場合（雄ネジを緩めた場合）にオフ動作するような位置に配設されているということができる。より詳細には、検出ＳＷ２２の前面側（ファスナ側）にはファスナ受けのバーリングタップ２４が設けられ、このバーリングタップ２４にファスナ１８、２０を締結することでハードディスクドライブ１０はカートリッジホルダ１２に装着され、この状態でバーリングタップ２４から背面側に突き出た雄ネジ先端２０ａが当接する位置に検出ＳＷ２２が配設される。
【００１５】
図４に、ハードディスクドライブ１０をカートリッジホルダ１２から抜き出した状態を示す。ユーザは、まずファスナ１８、２０を緩め、ファスナ１８、２０をカートリッジホルダ１２から外した状態でハンドルレバー１６を把持してハードディスクドライブ１０をカートリッジホルダ１２から抜き出す。ファスナ１８、２０を緩める過程において検出ＳＷ２２は図５に示すようにスイッチ板２２ａが弾性力により外側に移動するためオフ動作する。図５では完全に抜き出した状態を示しているが、ファスナ１８、２０を緩める過程において（つまり完全に抜き出す前のある時点において）検出ＳＷ２２がオン状態からオフ状態に遷移することは理解されよう。
【００１６】
検出ＳＷ２２からの検出信号はカートリッジホルダ側のプロセッサに供給され、プロセッサは検出ＳＷ２２からの検出信号がオン状態からオフ状態に遷移したことをトリガとして、現在起動しているオペレーティングシステムのシャットダウンを開始する。
【００１７】
本実施形態の動作を時系列的に説明すると以下のようになる。すなわち、ユーザはハードディスクドライブ１０の交換あるいは補修、修理のため、ハードディスクドライブ１０をカートリッジホルダ１２から抜き出す場合、手動あるいは特殊工具を用いて左右のファスナ１８、２０を外す。通常、いずれか一方のファスナから外し始めるものと思われ、例えばファスナ２０から外し始めるものとする。ファスナ２０を外し始めて雄ネジの先端２０ａが検出ＳＷ２２のスイッチ板２２ａから離れる、あるいは雄ネジが緩んでスイッチ板２２ａが外側に移動して内部接点と離れると、検出ＳＷ２２はオン状態からオフ状態となる。このとき、ファスナ１８側に設けられた検出ＳＷ２２は依然としてオン状態のままである。ファスナ１８、２０毎に設けられた検出スイッチ２２からの検出信号はともにプロセッサに供給される。プロセッサは、いずれかの検出ＳＷ２２がオン状態からオフ状態に遷移したか否かを常時監視しており、オン状態からオフ状態に遷移した場合にはオペレーティングシステムのシャットダウン処理を開始する。なお、この時点ではファスナ２０のみを緩めた状態であって、ハードディスクドライブ１０はカートリッジホルダ１２に依然として装着された状態である。その後、ユーザはファスナ２０を完全に外し、次にファスナ１８を外し、最後にハンドルレバー１６を把持してハードディスクドライブ１０をカートリッジホルダ１２から抜き出す。検出ＳＷ２２がオン状態からオフ状態に遷移した後でも、ユーザはファスナ２０を完全に外し、次にファスナ１８を緩めて完全に外す動作を行う必要があり、ハードディスクドライブ１０を抜き出し可能な状態とするまで一定時間を要する。プロセッサは、検出ＳＷ２２がオン状態からオフ状態に遷移したことをトリガとしてシャットダウン処理を開始し、上記の一定時間を利用してシャットダウンを完了させる。
【００１８】
このように、本実施形態では、ファスナ１８、２０を完全に外してハードディスクドライブ１０をカートリッジホルダ１２から抜き出し得る状態とするまでに一定時間を要するとの事実を利用し、この間にオペレーティングシステムのシャットダウンを完了させるものである。したがって、本実施形態ではハードディスクドライブ１０を抜き出す時点ではオペレーティングシステムは既にシャットダウンしているため、不具合の発生を防止できる。
【００１９】
以上、本発明の実施形態について説明したが、本発明はこれに限定されるものではなく種々の変更が可能である。
【００２０】
例えば、本実施形態では、ハードディスクドライブ１０をカートリッジホルダ１２に装着した状態で検出ＳＷ２２がオンし、脱着した状態で検出ＳＷ２２がオフするとしたが、装着した状態でオフ、脱着した状態でオンしてもよい。この場合、プロセッサは検出ＳＷ２２がオフ状態からオン状態に遷移したことをトリガとしてオペレーティングシステムのシャットダウンを開始する。
【００２１】
また、本実施形態では、ハードディスクドライブ１０の前面１４に２個のファスナ１８、２０が設けられることに対応して２個の検出ＳＷ２２を設けたが、ファスナが３個あるいはそれ以上存在する場合には各ファスナ毎に検出ＳＷ２２を設ければよい。なお、ファスナの数によらず、検出ＳＷ２２を１個だけ設けることも可能である。但し、各ファスナ毎に検出ＳＷ２２を設け、複数の検出ＳＷ２２のいずれかがオン状態からオフ状態に遷移したことをトリガとしてシャットダウンを開始する処理とすることで、全てのファスナを外し終えるまでの時間内にシャットダウンを完了できる確率が高くなる。
【００２２】
また、本実施形態では、ファスナ１８、２０を締結することでハードディスクドライブ１０をカートリッジホルダ１２に装着しているが、ファスナ（ネジ）以外の任意の固定手段を用いることができる。但し、固定手段としては、完全に外し終えるまでに所定の時間を要することが望ましく、（シャットダウンを開始してからシャットダウンが完了するまでに要する時間）＜（完全に外し終えるまでの時間）という条件を満たすことが望ましい。
【００２３】
さらに、本実施形態ではハードディスクドライブ１０を例示したが、オペレーティングシステムで駆動を制御する任意のデータ記録装置、例えば光ディスク装置にも適用することができる。
【図面の簡単な説明】
【００２４】
【図１】ハードディスクドライブ装着状態の斜視図である。
【図２】装着状態における検出ＳＷの状態説明図である。
【図３】検出ＳＷの動作説明図である。
【図４】ハードディスクドライブ脱着状態の斜視図である。
【図５】脱着状態における検出ＳＷの状態説明図である。
【図６】従来装置の構成図である。
【符号の説明】
【００２５】
１０  ハードディスクドライブ、１２  カートリッジホルダ、１６  ハンドルレバー、１８、２０  ファスナ、２２  検出ＳＷ。
【図１】
2008077806.tif 000003
【図２】
2008077806.tif 000004
【図３】
2008077806.tif 000005
【図４】
2008077806.tif 000006
【図５】
2008077806.tif 000007
【図６】
2008077806.tif 000008